(57)【要約】【課題】電子機器が水中で回収できなくなるのを防ぎつつ、簡易な構造で、低コスト化、小型化を図る。【解決手段】電子機器２に係止可能な係止部３と、該係止部３に設けられ、中空容器４を保持する容器保持部５と、を備え、該容器保持部５は、前記中空容器４に装着されることで該中空容器４の外周を周方向にわたって保持するとともに、該容器保持部５及び前記中空容器４の少なくとも一方の弾性変形により該中空容器４に着脱可能とされていることを特徴とする。【選択図】図１
2014091550.tif 000002
【特許請求の範囲】
【請求項１】
電子機器に係止可能な係止部と、
該係止部に設けられ、中空容器を保持する容器保持部と、を備え、
該容器保持部は、前記中空容器に装着されることで該中空容器の外周を周方向にわたって保持するとともに、該容器保持部及び前記中空容器の少なくとも一方の弾性変形により該中空容器に着脱可能とされていることを特徴とする電子機器用ストラップ。
【請求項２】
前記容器保持部は、
前記中空容器が保持される部分の外周形状と対応する形状をなす第一の開口部と、
該第一の開口部の開口寸法よりも大きい開口寸法を有する第二の開口部と、
前記第一の開口部から前記第二の開口部に向かって延出し、該第一の開口部の開口寸法よりも小さい幅を有する連通部とを有し、
前記連通部は、該連通部及び前記中空容器の少なくとも一方の弾性変形により、前記第一の開口部と前記第二の開口部との間で該中空容器を移動可能としていることを特徴とする請求項１に記載の電子機器用ストラップ。
【請求項３】
前記連通部の内側面に、前記内側面から外周側に向けて延びる切り込みが、前記第一の開口部と前記第二の開口部とを結ぶ方向に間隔をあけて複数形成されていることを特徴とする請求項２に記載の電子機器用ストラップ。
【請求項４】
前記第二の開口部の内周面において、少なくとも前記連通部側に、外周側に向けて延びる切り込みが形成されていることを特徴とする請求項２または３に記載の電子機器用ストラップ。
【請求項５】
前記容器保持部は、リング状部材からなり、該リング状部材が径方向に拡大・縮小可能とされるとともに、該リング状部材の内周面に外周側に向けて延びる切込みが形成されていることを特徴とする請求項１に記載の電子機器用ストラップ。
【請求項６】
前記容器保持部が、前記中空容器の口部と前記口部を閉塞するキャップとの間に挟持されることで、前記中空容器を保持することを特徴とする請求項１から５のいずれか一項に記載の電子機器用ストラップ。
【請求項７】
請求項１から６のいずれか一項に記載の電子機器用ストラップと、
前記電子機器用ストラップの前記係止部が係止される電子機器と、
を備えることを特徴とする電子機器用ストラップ付き電子機器。
【請求項８】
請求項１から６のいずれか一項に記載の電子機器用ストラップと、
前記電子機器用ストラップの前記係止部が係止される電子機器と、
前記容器保持部に保持される中空容器と、
を備えることを特徴とする電子機器フロートシステム。
【請求項９】
請求項１から６のいずれか一項に記載の電子機器用ストラップと、
前記容器保持部に保持される中空容器と、
を備えることを特徴とする電子機器用ストラップ付き中空容器。
【発明の詳細な説明】
【技術分野】
【０００１】
本発明は、電子機器用ストラップ、これを備えた電子機器、これを備えた中空容器及び電子機器フロートシステムに関する。
【背景技術】
【０００２】
携帯電話端末をはじめとする各種通信端末や、ＰＤＡ（Ｐｅｒｓｏｎａｌ  Ｄｉｇｉｔａｌ  Ａｓｓｉｓｔａｎｔｓ）、デジタルカメラ、音楽再生機器、等の各種の電子機器においては、水分が電子機器内に侵入すると、電子機器内の電子回路が故障してしまうことから、電子機器の各部に防水シールを設けることで、その防水性が高められているものがある。これらの中には、電子機器が水中に完全に没してしまっても、利用に支障が生じない高い防水性を有したものもある。
【０００３】
しかし、海や湖など、水深が大きい場所では、いくら電子機器が高い防水性を有していても、電子機器自体が水中深くまで沈んでしまうと、電子機器が有する防水性能を越える水圧が掛かって内部に水が侵入したり、電子機器を回収すること自体が困難となる。
【０００４】
そこで、特許文献１、２には、電子機器内に風船状の展開容器を備えて、端末が水中に没したときには、この展開容器内にガスを送り込むことによって展開容器を膨張させて、端末の水没を防ぐ提案がなされている。
【先行技術文献】
【特許文献】
【０００５】
【特許文献１】特開２００８−１９３６３２号公報
【特許文献２】特開２０１０−１９３０６５号公報
【発明の概要】
【発明が解決しようとする課題】
【０００６】
しかしながら、特許文献１、２に記載の技術は、展開容器を膨張させるための構造が複雑であり、端末の高コスト化につながる。また、展開容器を膨張させるための部品を収容するためのスペースが電子機器内に必要であり、電子機器の小型化の妨げとなるという問題がある。
そこでなされた本発明の目的は、電子機器が水中で回収できなくなるのを防ぎつつ、簡易な構造で、低コスト化、小型化を図ることのできる電子機器用ストラップ、電子機器用ストラップ付き電子機器、電子機器フロートシステム、電子機器用ストラップ付き中空容器を提供することである。
【課題を解決するための手段】
【０００７】
本発明は、上記課題を解決するため、以下の手段を採用する。
すなわち、本発明の電子機器用ストラップは、電子機器に係止可能な係止部と、該係止部に設けられ、中空容器を保持する容器保持部と、を備え、該容器保持部は、前記中空容器に装着されることで該中空容器の外周を周方向にわたって保持するとともに、該容器保持部及び前記中空容器の少なくとも一方の弾性変形により該中空容器に着脱可能とされていることを特徴とする。
【０００８】
本発明の電子機器用ストラップ付き電子機器は、上記の電子機器用ストラップと、前記電子機器用ストラップの前記係止部が係止される電子機器と、を備えることを特徴とする。
【０００９】
本発明の電子機器フロートシステムは、上記の電子機器用ストラップと、前記電子機器用ストラップの前記係止部が係止される電子機器と、前記容器保持部に保持される中空容器と、を備えることを特徴とする。
【００１０】
本発明の電子機器用ストラップ付き中空容器は、上記の電子機器用ストラップと、前記容器保持部に保持される中空容器と、を備えることを特徴とする。
【発明の効果】
【００１１】
本発明によれば、電子機器が水中で回収できなくなるのを防ぎつつ、簡易な構造で、低コスト化、小型化を図ることのできる。
【図面の簡単な説明】
【００１２】
【図１】本発明の第１の実施形態に係る電子機器用ストラップの最小構成を示す図であり、（ａ）は平面図、（ｂ）は（ａ）の正断面図である。
【図２】本発明の第２の実施形態に係る電子機器用ストラップ付き電子機器の最小構成を示す図であり、（ａ）は平面図、（ｂ）は（ａ）の正断面図である。
【図３】本発明の第３の実施形態に係る電子機器フロートシステムの最小構成を示す図であり、（ａ）は平面図、（ｂ）は（ａ）の正断面図である。
【図４】本発明の第４の実施形態に係る電子機器用ストラップ付き中空容器の最小構成を示す図であり、（ａ）は平面図、（ｂ）は（ａ）の正断面図である。
【図５】本発明の第５の実施形態における構成を示す図であり、電子機器用ストラップを携帯電話に装着した状態を示す斜視図である。
【図６】図５で示した電子機器用ストラップにペットボトルを装着した状態を示す斜視図である。
【図７】水中で携帯電話がペットボトルをフロートとしている状態を示す正断面図である。
【図８】本発明の第５の実施形態の変形例を示す図である。
【図９】本発明の第６の実施形態における構成を示す図であり、（ａ）は電子機器用ストラップの平面図、（ｂ）は電子機器用ストラップを携帯電話に装着した状態の正断面図である。
【図１０】図９に示した電子機器用ストラップでペットボトルを保持した状態を示す図であり、（ａ）は正断面図、（ｂ）は（ａ）の要部拡大図である。
【図１１】本発明の第６の実施形態の変形例を示す図であり、（ａ）は電子機器用ストラップの平面図、（ｂ）は電子機器用ストラップを携帯電話に装着した状態の正面図、（ｃ）は電子機器用ストラップを携帯電話に装着した状態の断面図である。
【図１２】図１１に示した電子機器用ストラップでペットボトルを保持した状態を示す要部拡大断面図である。
【図１３】本発明の第７の実施形態における構成を示す図であり、電子機器用ストラップの平面図である。
【図１４】図１３に示した電子機器用ストラップでペットボトルを保持する過程を示す図であり、（ａ）はボトル挿通部にペットボトルの口部を挿入した状態の平面図、（ｂ）は（ａ）の正断面図、（ｃ）はボトル保持部でペットボトルの口部を保持した状態の正断面図である。
【図１５】本発明の第７の実施形態の複数の変形例を示す図である。
【発明を実施するための形態】
【００１３】
以下、添付図面を参照して、本発明による電子機器用ストラップ、電子機器用ストラップ付き電子機器、電子機器フロートシステム、電子機器用ストラップ付き中空容器を実施するための最良の形態を説明する。しかし、本発明はこれらの実施例のみに限定されるものではない。
【００１４】
［第１の実施形態］
図１は、本実施形態による電子機器用ストラップの最小構成を示す図である。
この図が示すように、電子機器用ストラップ１は、電子機器２に係止可能な係止部３と、中空容器４を保持する容器保持部５と、を備え、容器保持部５は、中空容器４に装着されることで中空容器４の外周を周方向にわたって保持するとともに、容器保持部５及び中空容器４の少なくとも一方の弾性変形により中空容器４に着脱可能とされている構成を少なくとも備えていればよい。
【００１５】
この電子機器用ストラップ１は、係止部３を電子機器２に係止させ、容器保持部５で中空容器４を保持する。これにより、電子機器２を水中に落とした場合も、中空容器４がフロートとして機能し、電子機器２が水没して回収できなくなるのを防ぐことができる。
しかも、係止部３と容器保持部５を少なくとも備えれば良く、簡易な構成である。したがって、電子機器２が水中で回収できなくなるのを防ぎつつも、電子機器２に複雑な構成を備える必要が無く、低コスト化、小型化を図ることができる。
【００１６】
［第２の実施形態］
図２は、本実施形態による電子機器用ストラップ付き電子機器の最小構成を示す図である。
この図が示すように、電子機器用ストラップ付き電子機器６は、第１の実施形態で示した電子機器用ストラップ１と、電子機器用ストラップ１の係止部３が係止される電子機器２と、を少なくとも備えていればよい。
【００１７】
この電子機器用ストラップ付き電子機器６は、水中に落とした場合も、容器保持部５で中空容器４を保持させるによって、電子機器２が水没して回収できなくなるのを防ぐことができる。
しかも、電子機器用ストラップ１が簡易な構成であるために、電子機器２に複雑な構成を備える必要が無く、低コスト化、小型化を図ることができる。
【００１８】
［第３の実施形態］
図３は、本実施形態による電子機器フロートシステムの最小構成を示す図である。
この図が示すように、電子機器フロートシステム７は、第１の実施形態で示した電子機器用ストラップ１と、電子機器用ストラップ１の係止部３が係止される電子機器２と、容器保持部５に保持される中空容器４と、を少なくとも備えていればよい。
【００１９】
この電子機器フロートシステム７は、水中に落とした場合も、中空容器４がフロートとして機能し、電子機器２が水没して回収できなくなるのを防ぐことができる。
しかも、電子機器用ストラップ１が簡易な構成であるために、電子機器２に複雑な構成を備える必要が無く、低コスト化、小型化を図ることができる。
【００２０】
［第４の実施形態］
図４は、本実施形態による電子機器用ストラップ付き中空容器の最小構成を示す図である。
この図が示すように、電子機器用ストラップ付き中空容器８は、第１の実施形態で示した電子機器用ストラップ１と、容器保持部５に保持される中空容器４と、を少なくとも備えていればよい。
【００２１】
この電子機器用ストラップ付き中空容器８は、電子機器用ストラップ１の係止部３を電子機器２に係止することによって、電子機器２を水中に落とした場合も、中空容器４がフロートとして機能し、電子機器２が水没して回収できなくなるのを防ぐことができる。
しかも、電子機器用ストラップ１が簡易な構成であるために、電子機器２に複雑な構成を備える必要が無く、低コスト化、小型化を図ることができる。
【００２２】
［第５の実施形態］
図５は、本発明の第５の実施形態における構成を示す図である。
図５に示すように、電子機器用ストラップ２０Ａは、ボトル保持部２１と、ボトル保持部２１に連結された容器保持部の一例としてのリング状部材２２と、リング状部材２２に連結された係止部の一例としてのストラップ紐２３と、を備えている。
【００２３】
ボトル保持部２１は、いわゆるボトルキャップと同様の形状を有し、円板状の天面部２１ａと、天面部２１ａの外周部から延びる円筒状の筒状部２１ｂとからなる、断面円形の有底筒状とされている。筒状部２１ｂの内周面には、ネジ溝２１ｄが形成されている。
図６に示すように、このようなボトル保持部２１は、中空容器の一例としてのペットボトル３０の口部３１にねじ込む。すると、筒状部２１ｂのネジ溝２１ｄが、口部３１に形成されたネジ条３１ａに噛み合う。これによって、ボトル保持部２１は、ペットボトル３０の口部３１に装着可能とされている。
【００２４】
リング状部材２２は、例えば、伸縮性を有するゴム系材料からなり、ペットボトル３０の胴部３２の外周面の周長と同等程度の長さを有した弾性紐状部材を環状としたものである。リング状部材２２は、ペットボトル３０に装着されることでペットボトル３０の胴部３２の外周を周方向にわたって保持するとともに、リング状部材２２の弾性変形によりペットボトル３０に着脱可能とされている。
ストラップ紐２３は、適宜の長さに形成された紐状部材を環状としたものである。このストラップ紐２３は、前記のリング状部材２２と連結されている。
【００２５】
このような電子機器用ストラップ２０Ａは、電子機器の一例としての携帯電話１０に装着可能とされている。電子機器用ストラップ２０Ａを携帯電話１０に装着するは、ストラップ紐２３を、携帯電話１０の筐体１１に設けられたストラップ挿通孔１２に挿通し、ループ状に結びつける。
【００２６】
このような構成の電子機器用ストラップ２０Ａにおいては、平常時においては、ボトル保持部２１にペットボトル３０を装着しない状態で、携帯電話１０の筐体１１に連結されている。
この状態で、電子機器用ストラップ２０Ａは、ボトル保持部２１をアクセサリーアイテムとし、いわゆる携帯ストラップとして携帯電話１０の筐体１１に装着することができる。
【００２７】
また、ユーザが、携帯電話１０を所持したまま海や湖等に入る場合には、図７に示すように、リング状部材２２を径方向に弾性変形させて拡径させ、その内側にペットボトル３０の胴部３２を通す。そして、リング状部材２２から手を離せば、リング状部材２２が縮径して、ペットボトル３０の胴部３２を保持する。このとき、ペットボトル３０は、携帯電話１０とともに水中に沈まないよう、中身を空にしておくか、沈まない程度の中身の量としておく。また、ペットボトル３０には、電子機器用ストラップ２０Ａのボトル保持部２１ではなく、元々ペットボトル３０に備わっていたボトルキャップ３５を装着しておく。
【００２８】
この状態で、万が一携帯電話１０を水中で手放してしまった場合、ペットボトル３０内に空気が充填されているため、これがフロートとして機能し、水面付近に浮かぶようになっている。これによって、ペットボトル３０がフロートとして機能し、携帯電話１０が水中の深いところまで沈降しない。
【００２９】
上述したような構成によれば、電子機器用ストラップ２０Ａはペットボトル３０が装着可能とされている。これにより、必要時のみ電子機器用ストラップ２０Ａにペットボトル３０を取り付けて、携帯電話１０の水没防止を図ることができる。したがって、携帯電話１０を水中から回収できなくなるのを防ぐとともに、携帯電話１０が有する防水性能を上回る水圧が掛かって筐体１１内に水が侵入するのを確実に防ぐことができる。しかも、本実施形態では、中空容器の一例としてペットボトル３０を用いるようにした。ペットボトル３０は、必要に駆られたときに、容易に入手でき、水中での使用後は廃棄できるので、携帯電話１０の可搬性を損なうこともない。
さらに、リング状部材２２をペットボトル３０に装着するには、リング状部材２２を径方向に弾性変形させて拡径した状態で、その内側にペットボトル３０を通した後、手を離してリング状部材２２を縮径させれば良い。したがって、ペットボトル３０の装着をワンタッチで容易に行うことができる。
また、電子機器用ストラップ２０Ａは、リング状部材２２を有し、このリング状部材２２がペットボトル３０の胴部等に装着可能とされている。これにより、ペットボトル３０の胴部３１ｃをはじめとして、様々なものに電子機器用ストラップ２０Ａを掛けることができ、これによって、より安定して、携帯電話１０の水没防止を図ることができる。
【００３０】
ところで、上記の電子機器用ストラップ２０Ａにおいては、ユーザが、携帯電話１０を所持したまま海や湖等に入る場合には、図８に示すように、ボトル保持部２１に、空のペットボトル３０の口部３１をねじ込んで装着するようにしても良い。この状態で、万が一携帯電話１０を水中で手放してしまった場合、ペットボトル３０内に空気が充填されているため、これがフロートとして機能し、水面付近に浮かぶようになっている。
【００３１】
なお、上記実施形態においては、以下に示すような変形例とすることもできる。
例えば、電子機器用ストラップ２０Ａは、ボトル保持部２１を備えない構成とすることもできる。
また、このリング状部材２２は、ペットボトル３０の口部３１の外周面の周長と同等程度の長さとしても良い。この場合、リング状部材２２は、ペットボトル３０の胴部３２ではなく、口部３１に係止させる。このような構成においても、上記と同様の作用効果を得ることができる。
【００３２】
なお、上記したような電子機器用ストラップ２０Ａと、携帯電話１０等の電子機器と、を少なくとも備えることで、電子機器用ストラップ付き電子機器を構成することができる。
また、上記したような電子機器用ストラップ２０Ａと、ストラップ紐２３が係止される携帯電話１０と、リング状部材２２に保持されるペットボトル３０と、を少なくとも備えることで、電子機器フロートシステムを構成することができる。
さらに、上記したような電子機器用ストラップ２０Ａと、リング状部材２２に保持されるペットボトル３０と、を少なくとも備えることで、電子機器用ストラップ付き中空容器を構成することができる。
【００３３】
以下に、本発明に係る電子機器用ストラップ、電子機器用ストラップ付き電子機器、電子機器フロートシステム、電子機器用ストラップ付き中空容器の変形例として複数の実施形態を示す。以下に示す各実施形態においては、上記第５の実施形態と共通する構成については図中に同符号を付してその説明を省略することがある。
［第６の実施形態］
図９に示すように、本実施形態における電子機器用ストラップ２０Ｂは、リング状部材４１と、リング状部材４１に連結されたストラップ紐２３と、を備えている。
【００３４】
リング状部材４１は、環状に形成され、容器保持部の一例としてのロックリング部４２と、ロックリング部４２の外周部から一方向に延びる連結部４３とが一体成形され、連結部４３の先端部にストラップ紐２３が固定されている。
このリング状部材４１は、軟質なポリアセタール樹脂、シリコーン系のゴム材料等の、ペットボトル３０側よりも軟質な材料から形成するのが好ましい。
【００３５】
ロックリング部４２には、その中央部に、ボトル保持孔４４が形成されている。ロックリング部４２は、ペットボトル３０に装着されることでペットボトル３０の口部３１の外周を周方向にわたって保持するとともに、ロックリング部４２の弾性変形によりペットボトル３０に着脱可能とされている。
図１０に示すように、ロックリング部４２に保持されるペットボトル３０の口部３１には、ボトルキャップ３５が装着される部分よりも胴部３２側に、外周側に張り出すフランジ部３３が形成されている。
このボトル保持孔４４は、その内径ｄ３が、口部３１においてフランジ部３３の上下で一定径を有した円筒状部３１ｄ，３１ｅの外径Ｄ１と同等で、かつボトルキャップ３５の外径Ｄ２よりも小さくなるよう設定されている。
このボトル保持孔４４の内周面には、周方向に連続する溝４５が形成され、この溝４５にフランジ部３３が嵌め込まれている。
【００３６】
また、図９に示すように、ロックリング部４２のボトル保持孔４４の内周面において、少なくとも連結部４３側に、ボトル保持孔４４の周方向に沿って間隔を隔てて複数の切り込み４６が外周側に向けて形成されている。
【００３７】
このような電子機器用ストラップ２０Ｂは、ストラップ紐２３が、携帯電話１０の筐体１１に設けられたストラップ挿通孔１２に挿通され、ループ状に結びつけられることによって、携帯電話１０に装着される。
【００３８】
そして、リング状部材４１は、ロックリング部４２のボトル保持孔４４にペットボトル３０の口部３１を通し、フランジ部３３を溝４５に嵌め込むことで、ペットボトル３０を装着する。このときには、ペットボトル３０の口部３１からボトルキャップ３５を取り外した状態とし、ロックリング部４２に口部３１を挿通させるのが好ましい。
【００３９】
ボトル保持孔４４の内径ｄ３よりも大きな外径を有したネジ条３１ａおよびフランジ部３３をボトル保持孔４４に通すときには、連結部４３をロックリング部４２の外周側に向けて引っ張る。すると、軟質な材料から形成されているロックリング部４２が径方向に弾性変形させて拡径される。
このとき、ロックリング部４２のボトル保持孔４４の内周面に切り込み４６が複数形成されているので、これら切り込み４６によってロックリング部４２は周方向に直交する断面の断面積が小さくなっている。これによって、ロックリング部４２は、切り込み４６が形成された部分において、周方向に伸びやすくなっている。したがって、連結部４３をロックリング部４２の外周側に向けて引っ張れば、ロックリング部４２が容易に伸びる。
また、複数の切り込み４６によって、互いに隣接する切り込み４６，４６の間のブロック状の部分４４ｂが、ネジ条３１ａやフランジ部３３に当たったときには、ペットボトル３０の挿入方向に弾性変形する。
このようにして、切り込み４６によって、ロックリング部４２をフランジ部３３に容易かつ確実に嵌め込むことができるようになっている。
【００４０】
そして、ロックリング部４２をフランジ部３３に装着した状態で、ボトルキャップ３５を口部３１にねじ込むと、ボトルキャップ３５の先端部３５ａとフランジ部３３との間に、ロックリング部４２において溝４５よりも上方の部分が挟み込まれることとなる。これにより、リング状部材４１でペットボトル３０を確実に保持できる。
【００４１】
このようにして、必要時には電子機器用ストラップ２０Ｂにペットボトル３０に取り付けることで、携帯電話１０の水没防止を図ることができる。したがって、携帯電話１０を水中から回収できなくなるのを防ぐとともに、携帯電話１０が有する防水性能を上回る水圧が掛かって筐体１１内に水が侵入するのを確実に防ぐことができる。
さらに、ロックリング部４２をペットボトル３０に装着するには、ロックリング部４２を径方向に弾性変形させて拡径した状態で、その内側にペットボトル３０を通した後、手を離してロックリング部４２を縮径させれば良い。したがって、ペットボトル３０の装着をワンタッチで容易に行うことができる。
【００４２】
また、リング状部材４１のロックリング部４２を軟質な材料で形成し、さらに、ボトル保持孔４４の内周面に切り込み４６を形成することで、ペットボトル３０の装着を、さらに容易に行うことが可能となる。
【００４３】
なお、上記したような電子機器用ストラップ２０Ｂと、携帯電話１０等の電子機器と、を少なくとも備えることで、電子機器用ストラップ付き電子機器を構成することができる。
また、上記したような電子機器用ストラップ２０Ｂと、ストラップ紐２３が係止される携帯電話１０と、ロックリング部４２に保持されるペットボトル３０と、を少なくとも備えることで、電子機器フロートシステムを構成することができる。
さらに、上記したような電子機器用ストラップ２０Ｂと、ロックリング部４２に保持されるペットボトル３０と、を少なくとも備えることで、電子機器用ストラップ付き中空容器を構成することができる。
【００４４】
（第６の実施形態の変形例）
なお、上記実施形態において、複数の切り込み４６を、ボトル保持孔４４において連結部４３側のほぼ半周部分にわたって設けるようにしたが、もちろん、全周にわたって設けても良い。
また、ロックリング部４２を、ボトルキャップ３５の先端部３５ａとフランジ部３３との間に挟み込むようにしたが、ボトルキャップ３５によって挟み込む構成は必須ではなく、単にフランジ部３３に嵌め込むようにしても良い。さらには、ロックリング部４２を、フランジ部３３の下方で一定径を有した円筒状部３１ｅに嵌め込むようにしても良い。
【００４５】
また、図１１、図１２に示すように、電子機器用ストラップ２０Ｂにおいて、リング状部材４１’を、ＰＥＴ（ポリエチレンテレフタラード：Polyethylene terephthalate）、ポリエチレン系の樹脂、シリコーン樹脂等の材料からなるシート材から形成できる。このようなシート材からなるリング状部材４１’は、ペットボトル３０のボトルキャップ３５の先端部３５ａとフランジ部３３との間に挟み込むのが好ましい。
この場合も、リング状部材４１’は、ペットボトル３０の口部３１のネジ条３１ａを乗り越えるために、ロックリング部４２を外周側に弾性変形させて拡径させる。
【００４６】
リング状部材４１’の厚さは、ペットボトル３０においてボトルキャップ３５を締め込んだ状態におけるボトルキャップ３５の先端部３５ａとフランジ部３３との間の隙間と同等に形成するのが好ましい。リング状部材４１の厚さを、ボトルキャップ３５を締め込んだ状態におけるボトルキャップ３５の先端部３５ａとフランジ部３３との間の隙間よりも大きく設定する場合、ボトルキャップ３５によるペットボトル３０の口部の密封性が確保できなることもある。そのような場合、ボトルキャップ３５の先端部３５ａとリング状部材４１’との間、またはリング状部材４１’とフランジ部３３との間に、ゴム系材料やシリコーン樹脂系材料等からなるパッキンを挟み込んでも良い。パッキンは、ボトルキャップ３５を締め込んでいったときにパッキンに作用する圧力に反する方向の反発力を生じて、ボトルキャップ３５のネジ溝とペットボトル３０の口部３１のネジ条３１ａとを密着させるようにしても良い。
【００４７】
また、リング状部材４１’は、必ずしもその全周がボトルキャップ３５の先端部３５ａとフランジ部３３との間に挟み込まれなくても良く、少なくとも、連結部４３側と、その反対側の２箇所が挟み込まれていれば良い。
【００４８】
［第７の実施形態］
図１３、図１４に示すように、本実施形態における電子機器用ストラップ２０Ｃは、容器保持部の一例としてのリング状部材５１と、リング状部材５１に連結されたストラップ紐２３と、を備えている。
【００４９】
リング状部材５１は、ボトル保持孔５４を有したロックリング部５２と、ロックリング部５２の外周部から一方向に延びる連結部５３とが一体成形され、連結部５３の先端部にストラップ紐２３が固定されている。
【００５０】
ロックリング部５２に形成されたボトル保持孔５４は、第一の開口部の一例としてのボトル保持部５６と、第二の開口部の一例としてのボトル挿通部５５と、ボトル保持部５６からボトル挿通部５５に向かって延出した連通部５７と、を有して形成されている。
ボトル挿通部５５と、ボトル保持部５６は、内周形状が円弧状をなし、互いに異なる内径Ｄ６，Ｄ７を有している。
そして、ボトル挿通部５５は、ボトル保持部５６の開口寸法よりも大きい開口寸法で形成され、その内径Ｄ６が、ペットボトル３０のフランジ部３３の外径Ｄ５よりも大きく設定されている。
ボトル保持部５６は、ペットボトル３０が保持される口部３１の外周形状と対応する形状で形成されたその内径Ｄ７が、フランジ部３３の下方において一定径を有した円筒状部３１ｅの外径Ｄ１と同等に設定されている。
連通部５７は、その幅Ｗ１が、ボトル保持部５６の内径Ｄ７よりも小さくなるよう設定されている。
【００５１】
連結部５３は、ボトル挿通部５５とボトル保持部５６とを結ぶ方向に延び、かつリング状部材５１に対し、大きな内径Ｄ６を有したボトル挿通部５５側に設けるのが好ましい。
【００５２】
このようなリング状部材５１は、エラストマー系の軟質樹脂、軟質なポリアセタール樹脂、シリコーン系のゴム材料等の、ペットボトル３０側よりも軟質な材料で形成することもできるし、金属、ＡＢＳ（Acrylonitrile butadiene styrene），ＣＦＲＰ（Carbon-fiber-reinforced plastic）等の硬質樹脂のような硬質な材料で形成することもできる。
【００５３】
このリング状部材５１は、ロックリング部５２がペットボトル３０に装着されることでペットボトル３０の口部３１の外周を周方向にわたって保持するとともに、連通部５７またはペットボトル３０の口部３１の弾性変形によりペットボトル３０に着脱可能とされている。
【００５４】
このような電子機器用ストラップ２０Ｃは、ストラップ紐２３を携帯電話１０に係止させることで、携帯電話１０に装着される。
【００５５】
そして、ロックリング部５２のボトル挿通部５５にペットボトル３０の口部３１およびフランジ部３３を通した後、ペットボトル３０を、連通部５７を通してボトル保持部５６に移動させる。そして、口部３１の円筒状部３１ｅをボトル保持部５６に嵌め込むことで、リング状部材５１にペットボトル３０が保持される。このときには、ボトルキャップ３５は、ペットボトル３０の口部３１に装着したままでも良いし、取り外した状態としてもよい。
【００５６】
なお、ペットボトル３０が連通部５７を通るときには、連通部５７の幅Ｗ１が円筒状部３１ｅの外径Ｄ１よりも小さいため、リング状部材５１およびペットボトル３０の少なくとも一方の弾性変形により、ボトル保持部５６とボトル挿通部５５との間でのペットボトル３０の移動が可能となっている。
すなわち、リング状部材５１が前述したような軟質な材料で形成されている場合には、ペットボトル３０の連通部５７の通過時にリング状部材５１側がペットボトル３０の外周側に向けて弾性変形する。このときには、リング状部材５１において連通部５７の両側の、ペットボトル３０が当たる部分で局所的な弾性変形が生じるのであっても良いし、リング状部材５１において、連通部５７の両側を結ぶビーム状の部分５１ａ，５１ａが撓むようにして弾性変形するのであっても良い。
また、リング状部材５１が前述したような硬質な材料で形成されている場合には、ペットボトル３０の連通部５７の通過時には、ペットボトル３０側が内周側に押圧されて弾性変形する。
いずれの場合においても、リング状部材５１側、またはペットボトル３０側の弾性変形によってペットボトル３０が連通部５７の通過できるよう、連通部５７の幅Ｗ１を設定する必要がある。
【００５７】
このようにして、必要時には電子機器用ストラップ２０Ｃにペットボトル３０に取り付けることで、携帯電話１０の水没防止を図ることができる。したがって、携帯電話１０を水中から回収できなくなるのを防ぐとともに、携帯電話１０が有する防水性能を上回る水圧が掛かって筐体１１内に水が侵入するのを確実に防ぐことができる。
また、リング状部材５１にボトル挿通部５５を設け、このボトル挿通部５５から連通部５７を通してボトル保持部５６にペットボトル３０をスライドさせることで、ペットボトル３０の装着を容易かつ確実に行うことが可能となる。
【００５８】
なお、上記したような電子機器用ストラップ２０Ｃと、携帯電話１０等の電子機器と、を少なくとも備えることで、電子機器用ストラップ付き電子機器を構成することができる。
また、上記したような電子機器用ストラップ２０Ｃと、ストラップ紐２３が係止される携帯電話１０と、リング状部材５１に保持されるペットボトル３０と、を少なくとも備えることで、電子機器フロートシステムを構成することができる。
さらに、上記したような電子機器用ストラップ２０Ｃと、リング状部材５１に保持されるペットボトル３０と、を少なくとも備えることで、電子機器用ストラップ付き中空容器を構成することができる。
【００５９】
（第７の実施形態の変形例）
なお、ペットボトル３０には、口部３１の径が互いに異なる様々な種類が存在する。したがって、上記したようなリング状部材５１は、ボトル挿通部５５，ボトル保持部５６，連通部５７を、複数種の径のペットボトル３０に対応したサイズとして複数種類用意し、これらを一つのストラップ紐２３に取り付けるようにしても良い。
また、一つのリング状部材５１に、複数種の内径Ｄ７を有したボトル保持部５６を備えても良い。これには、全てのペットボトル３０の口部３１およびフランジ部３３が挿通可能な内径Ｄ６を有したボトル挿通部５５に対し、互いに内径Ｄ７が異なる複数個のボトル保持部５６を、それぞれ連通部５７を介して直列状に形成することができる。この場合、複数個のボトル保持部５６は、ボトル挿通部５５側から、その内径Ｄ７が漸次小さくなるように配列するのが好ましい。また、各連通部５７は、その一方の側でより小さな内径Ｄ７を有したボトル保持部５６の内径Ｄ７に応じて、幅Ｗ１を決定するのが好ましい。このとき、これらボトル挿通部５５，複数個のボトル保持部５６および連通部５７は、直線的に配置しても良いし、環状、あるいは曲線状等、適宜に配置することができる。
さらには、一つのボトル挿通部５５から、複数本の連通部５７を介して、互いに内径Ｄ７が異なる複数個のボトル保持部５６を放射状に設けても良い。
【００６０】
また、図１５（ａ）に示すように、上記第６の実施形態で示したのと同様の切り込み４６を、ボトル挿通部５５の内周面５５ａの一部、例えば、連通部５７側に形成しても良い。
【００６１】
また、上記した切り込み４６と同様の切り込み４７を、連通部５７の内側面５７ａに、連通部５７が連続する方向に間隔をあけて複数形成しても良い。
各切り込み４７は、連通部５７の内側面５７ａに直交する方向に形成するのが好ましい。これにより、ペットボトル３０の口部３１が連通部５７を通過するときに、互いに隣接する切り込み４７，４７間のブロック状の部分５７ｂが、移動するペットボトル３０の押圧力によって弾性変形し、連通部５７を容易に通過できるようになる。
【００６２】
さらに、図１５（ｂ）に示すように、各切り込み４７は、連通部５７の内側面５７ａに対し、傾斜して形成することもできる。例えば、各切り込み４７を、連通部５７の外周側から内側面５７ａに向けて、ボトル挿通部５５側からボトル保持部５６側に向けて傾斜して形成することもできる。これにより、ペットボトル３０の口部３１が連通部５７をボトル挿通部５５側からボトル保持部５６側に向けて通過するときには、ブロック状の部分５７ｂが連通部５７の外側に向けて容易に弾性変形して連通部５７を容易に通過できる。これに対し、ペットボトル３０の口部３１が連通部５７をボトル保持部５６側からボトル挿通部５５側に向けて通過するときには、ブロック状の部分５７ｂが変形しにくく、ペットボトル３０のボトル保持部５６側からボトル挿通部５５側への移動がしにくくなる。これにより、ペットボトル３０の不用意な脱落を防止できる。
【００６３】
また、連通部５７は、ボトル挿通部５５側からボトル保持部５６側に向けて一定幅Ｗ１を有するものとしたが、ボトル挿通部５５側からボトル保持部５６側に向けて、その幅が漸次小さくなり、ボトル保持部５６の手前で最小の幅Ｗ１を有するようにしても良い。これにより、ペットボトル３０の連通部５７でのスライドを容易に行うことができる。
このような構成において、ボトル挿通部５５と連通部５７、連通部５７とボトル保持部５６とを、涙滴状に連続して形成しても良い。
【００６４】
（その他の実施形態）
なお、本発明は、図面を参照して説明した上述の各実施形態に限定されるものではなく、その技術的範囲において様々な変形例が考えられる。
例えば、上記第１〜第７の実施形態で示した構成は、適宜組み合わせても良い。
また、上記第５〜第７の実施形態では、中空容器の一例として、ペットボトル３０を例示したが、これに限るものではない。例えば、ボトル缶、ポリエチレン製タンク（いわゆるポリタンク（略称））、マヨネーズやケチャップの容器のように、柔軟な容器の口部がキャップによって閉塞される容器、使い捨てではなく繰り返し利用可能なドリンクボトル、水筒等を中空容器に用いることもできる。
また、係止部の一例として、ストラップ紐２３を例示したが、係止部としては、例えば、チェーン、先端部に係止用のフックを備えた紐、チェーン等を用いることもできる。
さらに、電子機器の一例として、携帯電話１０を例示したが、電子機器としては、ＰＤＡ、デジタルカメラ、音楽再生機器、等であっても良い。
さらに、容器保持部の例として、リング状部材２２，ボトル保持孔４４，５４を例示したが、弾性変形により径方向に拡大・縮小可能であれば、容器保持部を、例えば断面Ｃ字状等とすることもできる。
これ以外にも、本発明の主旨を逸脱しない限り、上記実施の形態で挙げた構成を取捨選択したり、他の構成に適宜変更することが可能である。
【符号の説明】
【００６５】
１０  携帯電話
１１  筐体
１２  ストラップ挿通孔
２０Ａ、２０Ｂ、２０Ｃ  電子機器用ストラップ
２１  ボトル保持部
２１ａ  天面部
２１ｂ  筒状部
２１ｄ  ネジ溝
２２  リング状部材
２３  ストラップ紐
３０  ペットボトル
３１  口部
３１ａ  ネジ条
３１ｃ  胴部
３１ｄ，３１ｅ  円筒状部
３２  胴部
３３  フランジ部
３５  ボトルキャップ
３５ａ  先端部
４１  リング状部材
４２  ロックリング部
４３  連結部
４４  ボトル保持孔
４５  溝
４６，４７  切り込み
５１  リング状部材
５２  ロックリング部
５３  連結部
５４  ボトル保持孔
５５  ボトル挿通部
５５ａ  内周面
５６  ボトル保持部
５７  連通部
５７ａ  内側面
【図１】
2014091550.tif 000003
【図２】
2014091550.tif 000004
【図３】
2014091550.tif 000005
【図４】
2014091550.tif 000006
【図５】
2014091550.tif 000007
【図６】
2014091550.tif 000008
【図７】
2014091550.tif 000009
【図８】
2014091550.tif 000010
【図９】
2014091550.tif 000011
【図１０】
2014091550.tif 000012
【図１１】
2014091550.tif 000013
【図１２】
2014091550.tif 000014
【図１３】
2014091550.tif 000015
【図１４】
2014091550.tif 000016
【図１５】
2014091550.tif 000017